(57)【特許請求の範囲】
【請求項１】
底充填式の口紅容器であって、内周面に上部側の径よりも下部側の径が大きく且つ軸心に対して傾斜した傾斜段部を設けると共に該段部に沿って且つ互いに対向することのない位置に複数の突起を設けた中皿を有することを特徴とした口紅容器。
【発明の詳細な説明】
【０００１】
【産業上の利用分野】
本発明は、底充填式の口紅容器に関し、特に中皿の繰下げ時に充填された口紅が破断する虞のない口紅容器に関するものである。
【０００２】
【従来の技術】
底充填式の口紅容器としては図４に示すように構成されたものが一般的に用いられている。この口紅容器では、内周面にリング状突起５１ａを形成した中皿５１の底部５１ｂからキャップ５２に被蓋された中具５３に口紅５４を充填している。従って、口紅５４は中皿５１の上端面５１ｃ及びリング状突起５１ａの周囲にも充填される。口紅の使用する際に中具５３から繰り出すときは、中皿５１を上昇させて上端面５１ｃとリング状突起５１ａとによって口紅５４を押し出し、口紅５４を繰り下げるときは、中皿５１を下降させてリング状突起５１ａのみによって口紅５４を繰り下げる。
【０００３】
上記口紅容器では、充填された口紅５４が中具５３に密接し、口紅５４の繰り出し時及び繰下げ時に大きな摩擦抵抗が発生する。特に、口紅５４の繰下げ時には、前記摩擦抵抗が全てリング状突起５１ａと、該突起５１ａと対向する口紅５４（シアリング面５４ａ）に作用するため、接触面圧が高くなって口紅５４が破損したり或いはシアリング面５４ａで破断して、口紅５４の繰り出し，繰下げが不能になるという問題が生じている。
【０００４】
一方、上記問題を解決するために、実公昭５７−４５９２１号公報に開示された技術が提案されている。この技術は口紅容器の中皿に関するものであり、中皿の内周壁に対象位置に他の突起部が来ることのないように連続的な或いは部分的な係合装置を設けたものである。この技術では成形時の口紅の棄損や使用時の逸脱を防止することが可能となる。
【０００５】
【発明が解決しようとする課題】
然し、上記技術であっても使用時に於ける口紅の破断を完全に防止し得るものではなく、未だ改良の余地が残されている。
【０００６】
本発明の目的は、上記技術を発展させて使用時に於ける口紅の破断を略完全に防止することが出来る口紅容器を提供することにある。
【０００７】
【課題を解決するための手段】
上記課題を解決するために本発明に係る口紅容器は、底充填式の口紅容器であって、内周面に上部側の径よりも下部側の径が大きく且つ軸心に対して傾斜した傾斜段部を設けると共に該段部に沿って且つ互いに対向することのない位置に複数の突起を設けた中皿を有して構成されるものである。
【０００８】
【作用】
上記口紅容器では、中皿の内周面に上部側よりも下部側の径が大きい段部を形成すると共に該段部に沿って且つ互いに対向することのない位置に複数の突起を設けたので、中皿内部の口紅の断面積は段部の下部側（充填側）の方が上部側よりも大きくなる。特に、前記段部が軸心に対して傾斜しているため、口紅を繰り下げる際に発生する摩擦抵抗による剪断力が作用する面の面積、及び段部と口紅との接触面積をより大きくすることが可能となり、口紅の単位面積当たりに作用する剪断力及び面圧を小さくすることが出来る。
【０００９】
このため、口紅を中具の内部に繰り下げる際に両者の間に大きな接触摩擦が働いた場合であっても、口紅を破断することなく中具の内部に繰り下げることが出来る。
【００１０】
【実施例】
以下、上記口紅容器の一実施例について図を用いて説明する。図１は口紅充填時の口紅容器を説明する図、図２は口紅を使用する際に中具から繰り出した状態を説明する図、図３は中皿の構成を説明する一部を破断した斜視図である。
【００１１】
先ず、図１，図２により口紅容器の全体構成について概略的に説明する。口紅容器は、充填された紅１と一体化して使用の都度該紅１を繰り出し，繰り下げる中皿２と、紅１を保護する筒状の中具３と、中皿２を昇降駆動する下部筒４と、中具３及び紅１をカバーする上部筒（図示せず）とによって構成されている。
【００１２】
そして中具３の上部開口にキャップ５を取り付けて該開口を閉鎖し、中皿２を下降限まで下降させた状態で該中皿２の底部の穴２ａから軟化した紅材を充填して冷却することで、中皿２，中具３，キャップ５によって規定された空間に紅１が充填される。
【００１３】
中具３の下方には長手方向（軸心方向）に沿ってガイド溝３ａが形成されており、このガイド溝３ａに中皿２のガイド突起２ｂが嵌合している。また下部筒４の内部には螺旋状の溝４ａが形成されており、該溝４ａに中皿２のガイド突起２ｂが嵌合している。従って、下部筒４を中具３に対して回転させると、この回転に伴って中皿２が中具３の内部を回転することなく軸心に沿って昇降する。中皿２の昇降に伴って紅１が中具３から繰り出され、或いは繰り下げられる。
【００１４】
次に、中皿２の構成について具体的に説明する。中皿２は筒状の部材によって構成されており、底部に穴２ａが形成され外周面に一対のガイド突起２ｂが形成されている。また上端部には外径が中具３の内径よりも僅かに小さいフランジ２ｃが形成され、該フランジ２ｃによって充填された軟化した紅材の漏洩を防止し得るように構成されている。
【００１５】
中皿２の内周面の所定位置に軸心に対して傾斜させた傾斜段部６が形成され、該段部６に沿って複数の突起７が形成されている。前記傾斜段部６及び突起７は、繰り出された紅１を繰り下げる際に、紅１との接触部位に於ける紅１の部分的な破損や破断を防止することを目的として形成されたものである。
【００１６】
傾斜段部６は中皿２の軸心に対して傾斜した段部として形成され、該段部６に沿って複数の突起７が形成されている。この傾斜段部６の軸心に対する傾斜角度は特に限定するものではなく、中具３に対する紅１の接触長さや両者の間に発生する摩擦抵抗の値、或いは中皿２の上部側の内径寸法等に応じて適宜設定することが好ましい。
【００１７】
傾斜段部６の上部側は上端に設けたフランジ２ｃまで等しい径を持って形成され、また傾斜段部６の下部側（充填側）は該段部６の上部側よりも大きい径を持って底面に形成された穴２ａまで形成されている。
【００１８】
このため、充填された紅１のネック部は傾斜断部６の上部側の径によって規定されることとなる。また紅１と傾斜断部６との接触面はリング状となり、紅１を繰り下げる際に剪断力が作用する面（シアリング面）の面積は傾斜段部６の上部側の径と、該段部６の下部側に充填された紅１の厚さによって規定される。更に、傾斜段部６と紅１との接触面の面積は、該段部に於ける上部側と下部側の径の差、及び該段部６の軸心に対する傾斜角度によって規定される。
【００１９】
傾斜段部６に沿って且つ該段部６の上部側に複数の突起７が形成されている。この突起７は互いに対向することのない位置に形成されており、夫々の突起７は紅１に食い込んで該紅１を保持し得るように構成されている。突起７の数は特に限定するものではない。
【００２０】
上記の如く構成された傾斜段部６，突起７を形成した中皿２を有する口紅容器では、中皿２を上昇させて紅１を繰り出す際に下部筒４を回転させると、この回転に伴って発生する力が中皿２のフランジ２ｃ及び突起７を介して紅１に伝達され、該紅１と中具３と接触摩擦に抗して紅１を繰り出す。このとき中具３のガイド溝３ａと中皿２のガイド突起２ｂとの間の間隙に応じて中皿２に僅かな角度の回転が生じた場合、この回転力は突起７を介して紅１に伝達され、紅１と中具３との摩擦抵抗に応じて、紅１を中具３の内部で僅かに回転させるか或いは紅１を回転させることなく中皿２を上昇させる。
【００２１】
繰り出された紅１を繰り下げる場合、下部筒４の回転に伴う力は中皿２の傾斜段部６，突起７を介して紅１に伝達され、紅１と中具３との接触摩擦に抗して紅１を繰り下げる。このとき、紅１のシアリング面に剪断力が作用するが、該面の面積が大きいため、単位面積当たりに作用する剪断力の値を小さくすることが可能となり紅１の破断を防止することが可能となる。また傾斜段部６と紅１との接触面積が大きいため紅１に対し局部的に力が作用することがなく、両者の間に生じる接触圧を低減させることが可能となり、紅１の局部的な破損を防止することが可能となる。
【００２２】
【発明の効果】
以上詳細に説明したように本発明に係る口紅容器では、中皿の内周面に傾斜段部を設けると共に該段部に沿って且つ互いに対向することのない位置に複数の突起を設けたので、充填された紅と中具との間に摩擦抵抗が発生するにも関わらず、紅の繰り出し，繰り下げを円滑に行うことが出来る。
【００２３】
特に、充填された紅と中皿との接触面積を大きくしたので、紅を繰り下げる際に紅の単位面積当たりに作用する力を小さくすることが可能となり、紅の破断を防止すると共に局部的な破損を防止することが出来る等の特徴を有するものである。
【図面の簡単な説明】
【図１】口紅充填時の口紅容器を説明する図である。
【図２】口紅を使用する際に中具から繰り出した状態を説明する図である。
【図３】中皿の構成を説明する一部を破断した斜視図である。
【図４】従来の口紅容器の構成を説明する図である。
【符号の説明】
１            紅
２            中皿
２ａ          穴
２ｂ          ガイド突起
２ｃ          フランジ
３            中具
３ａ          ガイド溝
４            下部筒
４ａ          溝
５            キャップ
６            傾斜段部
７            突起
【図１】
0003565360.tif 000002
【図２】
0003565360.tif 000003
【図３】
0003565360.tif 000004
【図４】
0003565360.tif 000005